(57)【要約】      （修正有）【課題】刺鍼器を提供することを課題とする。【解決手段】本発明に係る刺鍼器は、カートリッジ３と押圧作動部と鍼送出部とを含む。カートリッジは、円筒状を呈し、筺体３１とスリーブ３２とトーションバネ３３とを含み、筺体の上下両端に相互の位置に対応する上部開口及び下部開口を各々開設し、中央においてシャフト３１３が延伸され、スリーブがシャフトに遊嵌され、筺体と収容空間を画成し、スリーブは収容空間内に位置する突き当たり肩部を包括し、トーションバネがシャフトに嵌め込まれ、且つ両端が各々シャフト及びスリーブに固設され、押圧作動部は、筺体上に摺設されると共にカートリッジのいずれか一端に位置し、且つ上部開口に対応する作動棒を包括し、鍼送出部は、筺体上に設けられると共にカートリッジの他端に位置し、且つ下部開口に対応する鍼排出孔を包括する。これを介して、使用利便性向上の目的を確実に達成できる。【選択図】図３
2018196477.tif 000002
【特許請求の範囲】
【請求項１】
円筒状を呈し、筺体とスリーブとトーションバネとを含み、前記筺体の上下両端に相互の位置に対応する上部開口及び下部開口を各々開設し、前記筺体の中央においてシャフトが延伸され、前記スリーブが前記シャフトに遊嵌され、前記筺体と収容空間を画成し、且つ前記スリーブは突き当たり肩部を包括し、前記突き当たり肩部が前記収容空間内に位置し、前記トーションバネが前記シャフトに嵌め込まれ、且つ前記トーションバネの両端が各々前記シャフト及び前記スリーブに固設されるカートリッジと、
前記筺体上に摺設されると共に前記カートリッジのいずれか一端に位置し、且つ作動棒を包括し、前記作動棒の位置が前記上部開口に対応する押圧作動部と、
前記筺体上に設けられると共に前記カートリッジの他端に位置し、且つ鍼排出孔を包括し、前記鍼排出孔の位置が前記下部開口に対応する鍼送出部と、
を含むことを特徴とする刺鍼器。
【発明の詳細な説明】
【技術分野】
【０００１】
本発明は、刺鍼器に関し、特に、使用利便性向上の目的を確実に達成できる刺鍼器に関する。
【背景技術】
【０００２】
一般的に漢方病院・クリニックにおいて、鍼灸は、極めてよく見られる治療法であり、つまり漢方医が鍼を人体のツボに刺入する。
【０００３】
従来鍼灸治療の時、漢方医は、鍼の頭を手で打つが、施術の力に個人差があるため、鍼の頭を手で打つ時、施術の力が大きすぎ、小さすぎ或いは打ち下ろす速度の速さという問題が生じ、これらは全て患者に不快感を与える。
【０００４】
上記問題点を改善するため、現在刺鍼器が製造され、作動部を押して、作動部の作動棒をカートリッジ内に収容していた数本の鍼（例えば２０本、３０本等）を１本ずつ鍼排出孔から押し出して人体のツボに刺入させることができる。
【０００５】
上記刺鍼器において、作動棒がカートリッジ内に収容している鍼を押し出した時、鍼はカートリッジ内において直立状態を保持しなければならないが、従来のカートリッジが使用時、鍼を１本ずつ押し出した後、その後、残った鍼はカートリッジの収容空間が徐々に大きく（つまり鍼を押し出した後に生じる空間）なることで鍼の整列が崩れる現象が生じて、作動棒が確実に鍼を押し出すことができなくなることで、使用上の不便さが起きてしまっていたため、十分理想的なものではなかった。
【発明の概要】
【発明が解決しようとする課題】
【０００６】
上記課題を解決するために、鋭意研究を重ねた結果、以下の発明を完成するに至った。
【課題を解決するための手段】
【０００７】
本発明に係る刺鍼器は、カートリッジと押圧作動部と鍼送出部とを含む。該カートリッジは、円筒状を呈し、筺体とスリーブとトーションバネとを含み、該筺体の上下両端に相互の位置に対応する上部開口及び下部開口を各々開設し、該筺体の中央においてシャフトが延伸され、該スリーブが該シャフトに遊嵌され、該筺体と収容空間を画成し、且つ該スリーブは突き当たり肩部を包括し、該突き当たり肩部が該収容空間内に位置し、該トーションバネが該シャフトに嵌め込まれ、且つ該トーションバネの両端が各々該シャフト及び該スリーブに固設され；該押圧作動部は、該筺体上に摺設されると共に該カートリッジのいずれか一端に位置し、且つ作動棒を包括し、該作動棒の位置が該上部開口に対応し；該鍼送出部は、該筺体上に設けられると共に該カートリッジの他端に位置し、且つ鍼排出孔を包括し、該鍼排出孔の位置が該下部開口に対応する。
【発明の効果】
【０００８】
上記構造設計を通じて、使用利便性向上の目的を確実に達成できる。
【図面の簡単な説明】
【０００９】
【図１】本発明の好ましい実施例の立体図である。
【図２】本発明の好ましい実施例の分解図である。
【図３】本発明の好ましい実施例に係るカートリッジの立体図である。
【図４】本発明の好ましい実施例に係るカートリッジの別の角度から見た立体図である。
【図５】本発明の好ましい実施例の使用状態を示す模式図である。
【図６】本発明の好ましい実施例に係るカートリッジの作動を示す模式図である。
【発明を実施するための形態】
【００１０】
図１及び図２を同時に参照すると、図１は本発明の好ましい実施例の立体図で、図２が本発明の好ましい実施例の分解図である。
【００１１】
図内において刺鍼器１が表示され、且つこの刺鍼器１は、ケース２とカートリッジ３と押圧作動部４と鍼送出部５とを含む。
【００１２】
図３及び図４を同時に参照すると、図３は本発明の好ましい実施例に係るカートリッジの立体図で、図４が本発明の好ましい実施例に係るカートリッジの別の角度から見た立体図である。図１及び図２を合わせて参照してほしい。
【００１３】
各図に示すように、カートリッジ３は、円筒状を呈し、筺体３１とスリーブ３２とトーションバネ３３とを含む。本実施例において、カートリッジ３の筺体３１は、ケース２と分離して２つの部材となり、設計でも一体成形させることができる。
【００１４】
このほかに、カートリッジ３の筺体３１の上下両端に相互の位置に対応する上部開口３１１（注：図３においてカートリッジ３の内部構造を明確に表示するため、図３は上部開口３１１の表示を省略しているが、図２で見ることができる）及び下部開口３１２（図２）を開設し、筺体３１の中央においてシャフト３１３が延伸され；スリーブ３２は、シャフト３１３に遊嵌され、筺体３１と収容空間３２０を画成し、且つ突き当たり肩部３２１を包括し、この突き当たり肩部３２１が収容空間３２０内に位置し；トーションバネ３３は、シャフト３１３に嵌め込まれ、且つトーションバネ３３の両端が各々シャフト３１３及びスリーブ３２に固設される。
【００１５】
また、押圧作動部４は、ケース２上（カートリッジ３の筺体３１及びケース２が一体成形として設計した時、押圧作動部４は筺体３１上に摺設される）に摺設すると共にカートリッジ３のいずれか一端に位置し、且つ作動棒４１を包括し、この作動棒４１の位置がカートリッジ３筺体３１の上部開口３１１に対応する。
【００１６】
次に、鍼送出部５は、ケース２上（先に述べた通り、カートリッジ３の筺体３１及びケース２が一体成形として設計した時、鍼送出部５は筺体３１上に摺設される）に設けられると共にカートリッジ３の他端に位置し、且つ鍼排出孔５１を包括し、この鍼排出孔５１の位置がカートリッジ３筺体３１の下部開口３１２に対応する。本実施例において、カートリッジ３の筺体３１は、鍼送出部５と分離して２つの部材となり、設計でも一体成形させることができ、つまりカートリッジ３の筺体３１と鍼送出部５が同一の部材の２つの部分とする。
【００１７】
図５及び図６を同時に参照すると、図５は、本発明の好ましい実施例の使用状態を示す模式図であり、図６が本発明の好ましい実施例に係るカートリッジの作動を示す模式図である。また同時に図１乃至図４を合わせて参照してもらいたい。
【００１８】
図に示すように、カートリッジ３は、例えば２０本、３０本など（実際のニーズに応じて収容数量を変更できる）の数本の鍼６を収容し、つまり図６に示すように、鍼６が順番通り配列して収容空間３２０内に収容される。使用時、例えば漢方医（図示せず）は患者（図示せず）のため鍼灸治療を行う時、刺鍼器１を持ち、図５の矢印で示す通り刺鍼器１の押圧作動部４を押すと、押圧作動部４の作動棒４１がカートリッジ３の筺体３１の上部開口３１１を経由してカートリッジ３の筺体３１内の１本の鍼６を押動し、鍼６がカートリッジ３の筺体３１の下部開口３１２及び対応する鍼送出部５の鍼排出孔５１を経由して押し出されて患者に刺入する。
【００１９】
更に図６に示すように、その後、筺体３１のシャフト３１３に遊嵌するスリーブ３２は、トーションバネ３３の弾力によって回転摺動し、この時、スリーブ３２の突き当たり肩部３２１は更に次の鍼６を上部開口３１１及び下部開口３１２の位置に突き当たることで、押圧作動部４が引き続いて押された後その作動棒４１に引き続いて鍼６を押動させることができる。
【産業上の利用可能性】
【００２０】
先に述べた通り、カートリッジ３は円筒状を呈し、且つ鍼６が順番通り配列して収容空間３２０内に収容される。鍼６が押圧作動部４の作動棒４１によって押し出された後、次の鍼６はスリーブ３２の突き当たり肩部３２１によりトーションバネ３３の弾力作用下で上部開口３１１及び下部開口３１２の位置に移動されて押し出される。こうすると、次の鍼６は前の鍼６が押し出された後空間の増加により整列が崩れる現象が発生することなく、言い換えると、上記構造設計を通じて使用利便性向上の目的を確実に達成できる。
【００２１】
発明の詳細な説明の項においてなされた好ましい実施例は、あくまでも本発明の技術内容を明らかにするものであって、そのような具体例にのみ限定して狭義に解釈されるべきものではない。本発明の精神及び原則から逸脱することなく、行われる様々な修正、均等置換及び改良は、いずれも本発明の保護範囲に含めるものであるのが勿論である。
【符号の説明】
【００２２】
１      刺鍼器
２      ケース
３      カートリッジ
３１    筺体
３１１  上部開口
３１２  下部開口
３１３  シャフト
３２    スリーブ
３２０  収容空間
３２１  突き当たり肩部
３３    トーションバネ
４      押圧作動部
４１    作動棒
５      鍼送出部
５１    鍼排出孔
６      鍼
【図１】
2018196477.tif 000003
【図２】
2018196477.tif 000004
【図３】
2018196477.tif 000005
【図４】
2018196477.tif 000006
【図５】
2018196477.tif 000007
【図６】
2018196477.tif 000008
【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
筺体とスリーブとトーションバネとを含む円筒状のカートリッジであって、
前記筺体の上下両端に相互の位置に対応する上部開口及び下部開口が各々開設され、前記筺体の中央においてシャフトが延伸され、
前記スリーブが前記シャフトに、前記トーションバネの弾力によって回転摺動するように嵌め込まれ、前記スリーブと前記筺体とは鍼の収容空間を画成し、前記スリーブは突き当たり肩部を含み、
前記突き当たり肩部が前記収容空間内に位置し、
前記トーションバネが前記シャフトに嵌め込まれ、前記トーションバネの両端が各々前記シャフト及び前記スリーブに固設される、
前記カートリッジと、
前記筺体上に摺設されると共に前記カートリッジのいずれか一端に位置し、作動棒を含み、前記作動棒の位置が前記上部開口に対応する押圧作動部と、
前記筺体上に設けられると共に前記カートリッジの他端に位置し、鍼排出孔を含み、前記鍼排出孔の位置が前記下部開口に対応する鍼送出部と、
を含み、
前記押圧作動部が押されると、前記作動棒が前記上部開口を経由して前記鍼を押動し、該鍼が前記下部開口および前記鍼排出孔を経由して押し出されることを特徴とする刺鍼器。